(57)【特許請求の範囲】
【請求項１】
各画素が自発光素子によって構成された表示部を備える携帯端末装置において、
複数のアプリケーションプログラムを記憶する記憶部と、
アプリケーションプログラムの起動を指示する操作部と、
起動したアプリケーションプログラムに応じて、前記表示部における前記起動したアプリケーションプログラムに関する表示領域を制限する表示制御部と、
を具備し、
前記記憶部は、表示領域制限情報をアプリケーションプログラムに応じて記憶し、
前記表示制御部は、起動したアプリケーションプログラムに対応する表示領域制限情報に基づいて表示領域を制限する
ことを特徴とする携帯端末装置。
【請求項２】
各画素が自発光素子によって構成された表示部を備える携帯端末装置において、
複数のアプリケーションプログラムを記憶する記憶部と、
アプリケーションプログラムの起動を指示する操作部と、
起動したアプリケーションプログラムに応じて、前記表示部における前記起動したアプリケーションプログラムに関する表示領域を制限する表示制御部と、
を具備し、
前記記憶部は、アプリケーションプログラムの動作履歴をさらに記憶し、
前記表示制御部は、起動したアプリケーションプログラムに対応する動作履歴に基づいて表示領域を制限する
ことを特徴とする携帯端末装置。
【請求項３】
各画素が自発光素子によって構成された表示部を備える携帯端末装置において、
複数のアプリケーションプログラムを記憶する記憶部と、
アプリケーションプログラムの起動を指示する操作部と、
起動したアプリケーションプログラムに応じて、前記表示部における前記起動したアプリケーションプログラムに関する表示領域を制限する表示制御部と、
を具備し、
前記記憶部は、各アプリケーションプログラムの表示領域制限情報あるいは動作履歴をテーブルとして記憶することを特徴とする携帯端末装置。
【請求項４】
複数のアプリケーションプログラムを記憶し、起動したアプリケーションプログラムに関する情報を表示部に表示させる携帯端末装置の表示制御方法であって、
起動したアプリケーションプログラムに応じて予め設定された表示領域制限情報に基づいて、前記表示部における前記起動したアプリケーションプログラムに関する表示領域を制限する
ことを特徴とする携帯端末装置の表示制御方法。
【請求項５】
複数のアプリケーションプログラムを記憶し、起動したアプリケーションプログラムに関する情報を表示部に表示させる携帯端末装置の表示制御方法であって、
起動したアプリケーションプログラムの動作履歴に基づいて、前記表示部における前記起動したアプリケーションプログラムに関する表示領域を制限することを特徴とする携帯端末装置の表示制御方法。
【請求項６】
複数のアプリケーションプログラムを記憶し、起動したアプリケーションプログラムに関する情報を表示部に表示させる携帯端末装置の表示制御方法であって、
各アプリケーションプログラムの表示領域制限情報あるいは動作履歴をテーブルとして携帯端末装置に記憶し、前記テーブルを用いて、前記表示部における前記起動したアプリケーションプログラムに関する表示領域を制限することを特徴とする携帯端末装置の表示制御方法。
【発明の詳細な説明】
【技術分野】
【０００１】
本発明は、携帯端末装置及び携帯端末装置の表示制御方法に関する。
【背景技術】
【０００２】
近年、携帯端末装置に備えられる表示装置として、有機ＥＬ（electro-luminescence）素子を画素とした表示装置、即ち有機ＥＬディスプレイが開発されている。有機ＥＬディスプレイは、液晶ディスプレイと比較して、視野角が広い、薄型にできる等の利点があるが、多くの電力を消費するという欠点がある。このため、携帯端末装置に適用した場合にはバッテリの消耗が速くなり駆動時間が短くなるという問題が起こるので、消費電力を削減する技術が必要となっている。
【０００３】
表示装置の消費電力を削減する技術としては、例えば、下記の特許文献１〜３に開示されているものがある。これらの技術は、液晶ディスプレイの表示領域を出荷時の固定的な設定に基づいて制限することにより消費電力を削減するものである。
【特許文献１】特開平６−９５６２１号公報
【特許文献２】特開平１１−１８４４３４号公報
【特許文献３】特開２００５−１５６７４６号公報
【発明の開示】
【発明が解決しようとする課題】
【０００４】
ところで、携帯端末装置の場合、ディスプレイに表示される内容は、実行されるアプリケーションプログラムによって異なる。また、近年の携帯端末装置は、ユーザによるアプリケーションプログラムの追加を許容しているものがあるので、携帯端末装置の出荷時に、当該携帯端末装置で使用されるアプリケーションプログラムを全て把握しておくことは不可能である。
したがって、出荷時の設定に基づいて表示領域を制限する特許文献１〜３の技術を、上述したようにアプリケーションプログラムによって表示内容が異なったり、あるいはアプリケーションプログラムが出荷時と異なる携帯端末装置に適用した場合には、携帯端末装置の利便性が大幅に損なわれる。
【０００５】
本発明は、上述した事情に鑑みてなされたもので、携帯端末装置の利便性を損なうことなく消費電力を更に削減することを目的とする。
【課題を解決するための手段】
【０００６】
上記課題を解決するために、本発明に係る携帯端末装置は、各画素が自発光素子によって構成された表示部を備える携帯端末装置において、複数のアプリケーションプログラムを記憶する記憶部と、アプリケーションプログラムの起動を指示する操作部と、起動したアプリケーションプログラムに応じて、前記表示部における前記起動したアプリケーションプログラムに関する表示領域を制限する表示制御部と、を具備し、前記記憶部は、表示領域制限情報をアプリケーションプログラムに応じて記憶し、前記表示制御部は、起動したアプリケーションプログラムに対応する表示領域制限情報に基づいて表示領域を制限するようにした。
【０００９】
本発明に係る携帯端末装置は、各画素が自発光素子によって構成された表示部を備える携帯端末装置において、複数のアプリケーションプログラムを記憶する記憶部と、アプリケーションプログラムの起動を指示する操作部と、起動したアプリケーションプログラムに応じて、前記表示部における前記起動したアプリケーションプログラムに関する表示領域を制限する表示制御部と、を具備し、前記記憶部は、アプリケーションプログラムの動作履歴をさらに記憶し、前記表示制御部は、起動したアプリケーションプログラムに対応する動作履歴に基づいて表示領域を制限するようにした。
【００１１】
本発明に係る携帯端末装置は、各画素が自発光素子によって構成された表示部を備える携帯端末装置において、複数のアプリケーションプログラムを記憶する記憶部と、アプリケーションプログラムの起動を指示する操作部と、起動したアプリケーションプログラムに応じて、前記表示部における前記起動したアプリケーションプログラムに関する表示領域を制限する表示制御部と、を具備し、前記記憶部は、各アプリケーションプログラムの表示領域制限情報あるいは動作履歴をテーブルとして記憶するようにした。
【００１４】
本発明に係る携帯端末装置の表示制御方法は、複数のアプリケーションプログラムを記憶し、起動したアプリケーションプログラムに関する情報を表示部に表示させる携帯端末装置の表示制御方法であって、起動したアプリケーションプログラムに応じて予め設定された表示領域制限情報に基づいて、前記表示部における前記起動したアプリケーションプログラムに関する表示領域を制限するようにした。
【００１７】
本発明に係る携帯端末装置の表示制御方法は、複数のアプリケーションプログラムを記憶し、起動したアプリケーションプログラムに関する情報を表示部に表示させる携帯端末装置の表示制御方法であって、起動したアプリケーションプログラムの動作履歴に基づいて、前記表示部における前記起動したアプリケーションプログラムに関する表示領域を制限するようにした。
【００１９】
本発明に係る携帯端末装置の表示制御方法は、複数のアプリケーションプログラムを記憶し、起動したアプリケーションプログラムに関する情報を表示部に表示させる携帯端末装置の表示制御方法であって、各アプリケーションプログラムの表示領域制限情報あるいは動作履歴をテーブルとして携帯端末装置に記憶し、前記テーブルを用いて、前記表示部における前記起動したアプリケーションプログラムに関する表示領域を制限するようにした。
【発明の効果】
【００２２】
本発明によれば、アプリケーションプログラムに応じて、表示部における表示領域を制限することができるので、携帯端末装置の利便性を損なうことなく消費電力を更に削減できるという効果が得られる。
【発明を実施するための最良の形態】
【００２３】
以下、本発明の第１実施形態について図１〜図４を参照して説明する。図１は、本実施形態における携帯端末装置１の構成を示すブロック図である。携帯端末装置１は、記憶部２と、制御部３（表示制御部）と、表示部４と、操作部５と、送受信部６とを備えている。
表示部４は、各画素が有機ＥＬ等の自発光素子によって構成されたものである。操作部５は、ユーザによる各種操作を受け付けるものである。
記憶部２は、制御部３で実行される各種アプリケーションを記憶し、制御部３が行う各種演算の計算結果を一時的に記憶する。また、記憶部２は、操作部５によってユーザが設定する省電力モードＯＮ／ＯＦＦのモード切替操作の結果を記憶し、更に、上記の各種アプリケーションに対応する表示領域制限情報を記憶する。
制御部３は、省電力モードがＯＮのとき、アプリケーションを実行する際に、実行中のアプリケーションに対応する表示領域制限情報に基づいて、表示部４へ表示画面と共に表示領域制限信号を出力する。表示部４は、制御部３から出力される表示画面及び表示領域制限信号に基づいて、画像を表示する。
送受信部６は、通話やメールの送受信等、基地局と情報の送受信を行う。通話の場合には、送受信部６が基地局から受信した情報は、制御部３を介して図示しないスピーカに出力されて音声として発音され、図示しないマイクから制御部３へ出力された情報は、送受信部６から基地局へ送信される。
【００２４】
図２は、記憶部２が記憶する表示領域制限情報を示す模式図である。表示領域制限情報は、アプリケーションプログラムに応じた制限領域を記録したものである。
例えば、電卓プログラムの場合には、表示部４の始点座標(0,80)から幅240、高さ230の範囲が制限領域として規定されている。省電力モードがＯＮに切り替えられている場合には、表示領域制限情報で規定された制限領域の表示をＯＦＦにし、制限領域に含まれる画素へは給電しない。これにより、省電力が行われる。
【００２５】
本実施形態の携帯端末装置１では、図３のフローチャートに示す処理を所定間隔で繰り返している。まず、制御部３は、アプリケーションプログラムが起動されているか否かを判断し（Ｓ１０１）、起動されていなければ（Ｓ１０１のＮｏ）、Ｓ１０１へ戻り、所定時間経過後に判断を再実行する。Ｓ１０１で、アプリケーションプログラムが起動されていれば（Ｓ１０１のＹｅｓ）、続いて、制御部３は、省電力モードがＯＮにされているか否かを判断する（Ｓ１０２）。省電力モードがＯＦＦであれば（Ｓ１０２のＮｏ）、制御部３は、表示部４の全表示領域を使用しての表示を行う（Ｓ１０３）。そして、制御部３は、アプリケーションプログラムが終了となるまで、Ｓ１０３を繰り返す（Ｓ１０４）。
Ｓ１０２で、省電力モードがＯＮにされていれば（Ｓ１０２のＹｅｓ）、制御部３は、省電力モード対応のアプリケーションプログラムで表示領域制限情報があるか否かを判断し（Ｓ１０５）、省電力モード対応のアプリケーションプログラムでなければ（Ｓ１０５のＮｏ）、Ｓ１０３へ移る。
Ｓ１０５で、省電力モード対応のアプリケーションプログラムで表示領域制御情報があれば（Ｓ１０５のＹｅｓ）、制御部３は、起動したアプリケーションプログラムに対応する表示領域制限情報を記憶部２から取得し（Ｓ１０６）、表示部４に表示画面と共に表示領域制限信号を出力し、表示部４の制限領域を除いた領域を使用しての表示を行う（Ｓ１０７）。そして、制御部３は、アプリケーションプログラムが終了となるまで、Ｓ１０７を繰り返す（Ｓ１０８）。
【００２６】
このような構成の携帯端末装置１において、ユーザが、省電力モードをＯＦＦに設定した状態で電卓プログラムを起動すると、図４（ａ）の表示部４の正面図に示すように、表示部４の全表示領域を使用しての表示となる。また、ユーザが、省電力モードをＯＮに設定した状態で電卓プログラムを起動すると、図４（ｂ）の表示部４の正面図に示すように、表示部４の制限領域を除いた領域を使用しての表示となる。
図４（ａ）は、操作部５から入力される数値が表示される数値表示部１１と、操作部５による操作方法を案内する画像が表示される操作ガイド部１２との両方を、表示部４に表示した状態であり、図４（ｂ）は、数値表示部１１のみ表示部４に表示し、操作ガイド部１２は非表示としている。
【００２７】
次に、本発明の第２実施形態について図５〜図８を参照して説明する。図５は、本実施形態における携帯端末装置２１の構成を示すブロック図である。携帯端末装置２１は、記憶部２２と、制御部２３（表示制御部）と、表示部２４と、操作部２５と、送受信部２６とを備えている。
表示部２４、操作部２５及び送受信部２６は、第１実施形態の表示部４、操作部５、送受信部６と同一のものであるので、説明を省略する。
本実施形態の記憶部２２が第１実施形態の記憶部２と異なる部分は、記憶する表示領域制限情報である。本実施形態の表示領域制限情報は、図６の模式図に示すように、アプリケーションプログラム毎に設けられたテーブルに、動作状態に応じた制限領域が規定されたものである。
例えば、電話プログラムの場合には、電話番号入力１、電話番号入力２、発信、通話中等の各種動作状態それぞれについて制限領域が規定されている。
【００２８】
本実施形態の携帯端末装置２１では、図７のフローチャートに示す処理を所定間隔で繰り返している。まず、制御部２３は、アプリケーションプログラムが起動されているか否かを判断し（Ｓ２０１）、起動されていなければ（Ｓ２０１のＮｏ）、Ｓ２０１へ戻り、所定時間経過後に判断を再実行する。Ｓ２０１で、アプリケーションプログラムが起動されていれば（Ｓ２０１のＹｅｓ）、続いて、制御部２３は、省電力モードがＯＮにされているか否かを判断する（Ｓ２０２）。省電力モードがＯＦＦであれば（Ｓ２０２のＮｏ）、制御部２３は、表示部２４の全表示領域を使用しての表示を行う（Ｓ２０３）。そして、制御部２３は、アプリケーションプログラムが終了となるまで、Ｓ２０３を繰り返す（Ｓ２０４）。
Ｓ２０２で、省電力モードがＯＮにされていれば（Ｓ２０２のＹｅｓ）、制御部２３は、省電力モード対応のアプリケーションプログラムで表示領域制限情報があるか否かを判断し（Ｓ２０５）、省電力モード対応のアプリケーションプログラムでなければ（Ｓ２０５のＮｏ）、Ｓ２０３へ移る。
Ｓ２０５で、省電力モード対応のアプリケーションプログラムで表示領域制御情報があれば（Ｓ２０５のＹｅｓ）、制御部２３は、起動したアプリケーションプログラムに対応する表示領域制限情報テーブルを記憶部２２から取得し（Ｓ２０６）、続いて、実行中のアプリケーションプログラムの状態情報を取得する（Ｓ２０７）。そして、制御部３は、アプリケーションプログラムの状態情報に基づいて表示領域制限情報テーブルから実行中のアプリケーションプログラムの動作状態に応じた表示領域制限情報を取得し（Ｓ２０８）、表示部２４に表示画面と共に表示領域制限信号を出力し、表示部４の制限領域を除いた領域を使用しての表示を行う（Ｓ２０９）。そして、制御部２３は、アプリケーションプログラムが終了となるまで、Ｓ２０９を繰り返す（Ｓ２１０）。
【００２９】
このような構成の携帯端末装置２１において、ユーザが、省電力モードをＯＦＦに設定した状態で電話プログラムを起動すると、図８（ａ）〜（ｄ）の表示部２４の正面図に示すように、表示部２４の全表示領域を使用しての表示となる。また、ユーザが、省電力モードをＯＮに設定した状態で電話プログラムを起動すると、図８（ｅ）〜（ｈ）の表示部２４の正面図に示すように、表示部２４の制限領域を除いた領域を使用しての表示となり、制限領域の画素への給電はＯＦＦとされる。
図８（ａ）及び（ｅ）は、電話番号入力中の画面で、電話番号が１行に表示できる長さの場合のものである。図８（ｅ）では、電話番号を表示する１行分以外の部分が図６に示すテーブルに制限領域として規定されて、制限領域の画素への給電がＯＦＦとされている。
図８（ｂ）及び（ｆ）は、電話番号入力中の画面で、電話番号が２行に渡って表示される長さの場合のものである。図８（ｆ）では、電話番号を表示する２行分以外の部分が図６に示すテーブルに制限領域として規定されて、制限領域の画素への給電がＯＦＦとされている。
図８（ｃ）及び（ｇ）は、発信中の画面である。図８（ｃ）では、発信中の相手の名前及び電話番号と、発信中であることを示す画像とが表示されている。図８（ｇ）では、発信中であることを示す画像とその周囲の部分が図６に示すテーブルに制限領域として規定されて、それ以外の部分である発信中の相手の名前及び電話番号のみが表示されている。
図８（ｄ）及び（ｈ）は、通話中の画面であり、通話時間及び現在日時が表示される。図８（ｈ）では、通話時間及び現在日時を表示する部分以外の部分が図６に示すテーブルに制限領域として規定されて、制限領域の画素への給電がＯＦＦとされている。
【００３０】
なお、第１及び第２実施形態の表示領域制限情報は、アプリケーションプログラムに付属するものとしてアプリケーションプログラムと共にダウンロードされるか、アプリケーションプログラムと共に予め記憶部２又は２２に記憶されていてもよいし、或いは、ユーザにより設定されるものであってもよい。
【００３１】
次に、本発明の第３実施形態について図９〜図１２を参照して説明する。図９は、本実施形態における携帯端末装置３１の構成を示すブロック図である。携帯端末装置３１は、記憶部３２と、制御部３３（表示制御部）と、表示部３４と、操作部３５と、送受信部３６と、計時部３７とを備えている。
表示部３４、操作部３５及び送受信部３６は、第１実施形態の表示部４、操作部５、送受信部６と同一のものであるので、説明を省略する。
本実施形態の記憶部３２が第１実施形態の記憶部２と異なる部分は、アプリケーションに対応して記憶しているのが表示領域制限情報ではなく動作履歴情報である点である。本実施形態では、図１０の模式図に示すように、アプリケーションプログラム毎に動作履歴情報を記録している。動作履歴情報は、例えば、電卓プログラムであれば、ユーザが用いる桁数の平均や、数値キーの後、演算キーを押下するまでの平均時間、使用時間の累計等である。これらの動作履歴情報に基づいて、表示部３４の表示領域を制限する。また、動作履歴情報は、各アプリケーションプログラムに記載された処理手順が実行されることによって、更新及び保存される。
計時部３７は、計時を行い、１秒毎にパルスを制御部３３へ出力する。制御部３３は、計時部３７から出力されるパルスを用いて、各種アプリケーションプログラムの使用時間累計の算出等を行う。
【００３２】
本実施形態の携帯端末装置３１では、図１１のフローチャートに示す処理を所定間隔で繰り返している。まず、制御部３３は、アプリケーションプログラムが起動されているか否かを判断し（Ｓ３０１）、起動されていなければ（Ｓ３０１のＮｏ）、Ｓ３０１へ戻り、所定時間経過後に判断を再実行する。Ｓ３０１で、アプリケーションプログラムが起動されていれば（Ｓ３０１のＹｅｓ）、続いて、制御部３３は、省電力モードがＯＮにされているか否かを判断する（Ｓ３０２）。省電力モードがＯＦＦであれば（Ｓ３０２のＮｏ）、制御部３３は、表示部３４の全表示領域を使用しての表示を行う（Ｓ３０３）。そして、制御部３３は、アプリケーションプログラムが終了となるまで、Ｓ３０３を繰り返す（Ｓ３０４）。
Ｓ３０２で、省電力モードがＯＮにされていれば（Ｓ３０２のＹｅｓ）、制御部３３は、アプリケーションプログラムに記載された処理手順を実行することにより動作履歴情報を記憶部３２から取得し（Ｓ３０５）、更に、アプリケーションプログラムに記載された処理手順を実行することにより当該動作履歴情報に基づいて表示部３４に表示画面と共に表示領域制限信号を出力し、表示部３４の制限領域を除いた領域を使用しての表示を行う（Ｓ３０６）。所定時間が経過し、ユーザが操作部３５により何らかの操作を行うと（Ｓ３０７）、制御部３３は、アプリケーションプログラムに記載された処理手順を実行することにより動作履歴情報を更新し（Ｓ３０８）、更に、アプリケーションプログラムに記載された処理手順を実行することにより動作履歴情報を保存する（Ｓ３０９）。そして、制御部３３は、アプリケーションプログラムが終了となるまで、Ｓ３０６〜Ｓ３０９を繰り返す（Ｓ３１０）。
【００３３】
このような構成の携帯端末装置３１において、ユーザが、省電力モードをＯＦＦに設定した状態で電卓プログラムを起動すると、図１２（ａ）の表示部３４の正面図に示すように、表示部３４の全表示領域を使用しての表示となる。また、ユーザが、省電力モードをＯＮに設定した状態で電卓プログラムを起動すると、図１２（ｉ）の表示部３４の正面図に示すように、表示部３４の制限領域を除いた領域を使用しての表示となる。
図１２（ａ）は、図１２（ｂ）に示す操作部３５から入力される数値が表示される数値表示部１２１と、図１２（ｅ）に示す操作部３５による操作方法を案内する画像が表示される操作ガイド部１２２との両方を、表示部３４に表示した状態である。
省電力モードでは、数値表示部１２１及び操作ガイド部１２２は、動作履歴情報に応じたサイズに縮小される。まず、数値表示部１２１は、ユーザが用いる桁数の平均に応じて、図１２（ｃ）や（ｄ）に示すサイズにされる。操作ガイド部１２２は、数値キーの後演算キーを押下するまでの平均時間や使用時間の累計から推定されるユーザの電卓プログラムへの熟練度によって、図１２（ｆ）や（ｇ）に示すサイズにされ、最終的には図１２（ｈ）に示すように表示されなくなる。そして、それぞれにサイズが選択された数値表示部１２１と操作ガイド部１２２とを合わせて、図１２（ｉ）に示すような省電力モード時の表示が行われる。
【００３４】
次に、本発明の第４実施形態について、図１３〜図２４を参照して説明する。図１３は、本実施形態における携帯端末装置４１の構成を示すブロック図である。携帯端末装置４１は、記憶部４２と、制御部４３（表示制御部）と、表示部４４と、操作部４５と、送受信部４６と、計時部４７とを備えている。
表示部４４、操作部４５、送受信部４６及び計時部４７は、第３実施形態の表示部３４、操作部３５、送受信部３６、計時部３７と同一のものであるので、説明を省略する。
本実施形態の記憶部４２が第３実施形態の記憶部３２と異なる部分は、アプリケーションプログラムに対応してスクリーン制御情報をも記憶している点である。本実施形態では、図１４の模式図に示すように、アプリケーションプログラム毎にスクリーン制御情報を規定している。
例えば、電卓プログラムの場合には、スクリーン制御情報は、制御スクリーンを区別する制御スクリーン識別子１４１毎に設定され、制御領域の範囲を示すエリア情報１４２、表示領域制限を行うか否かの判断材料及び判断基準としての要因係数１４３及び閾値１４４、表示領域制限を行う際の表示領域を縮小する程度や輝度を規定する変化規則１４５を含んでいる。
また、記憶部３２は、実行中及び待機中のアプリケーションプログラムのソフト識別子を記憶する。ソフト識別子は、アプリケーションプログラム毎に異なるものが付与され、これにより他のアプリケーションプログラムと区別できるものである。
【００３５】
本実施形態の携帯端末装置４１では、何らかのアプリケーションプログラムの実行中、図１５のフローチャートに示す処理を所定間隔で繰り返している。なお、このフローチャートは、ユーザが操作部４５により実行中のアプリケーションプログラムと異なるアプリケーションプログラムを起動するよう操作した場合を想定している。
まず、制御部４３は、アプリケーションプログラムを起動する（Ｓ４０１）。続いて、制御部４３は、この起動したアプリケーションプログラムの起動前に実行されていて待機させるアプリケーションプログラムのソフト識別子及び動作履歴情報を記憶部４２に退避する（Ｓ４０２）。
次に、制御部４３は、起動したアプリケーションプログラムからソフト識別子を取得し（Ｓ４０３）、制御スクリーン識別子１４１を取得する（Ｓ４０４）。そして、制御部４３は、ソフト識別子及び制御スクリーン識別子１４１に応じたスクリーン制御情報及び動作履歴情報を記憶部４２から取得し（Ｓ４０５）、スクリーン制御情報及び動作履歴情報に基づいてスクリーンの表示制御を行う（Ｓ４０６）。所定時間が経過し、ユーザが操作部４５により何らかの操作を行うと（Ｓ４０７）、制御部４３は、動作履歴情報を更新する（Ｓ４０８）。
そして、制御部４３は、別のスクリーンに移ったか否かを判断し（Ｓ４０９）、移っていなければ（Ｓ４０９のＮｏ）、Ｓ４０６へ戻ってスクリーンの表示を続け、移っていれば（Ｓ４０９のＹｅｓ）、前の制御スクリーン識別子１４１についての動作履歴情報を保存する（Ｓ４１０）。
次に、制御部４３は、アプリケーションプログラムが終了したか否かを判断し（Ｓ４１１）、終了していなければ（Ｓ４１１のＮｏ）、Ｓ４０４へ戻って現在の制御スクリーンについて処理を続行し、終了していれば（Ｓ４１１のＹｅｓ）、記憶部４２から待機中のアプリケーションプログラムのソフト識別子及び動作履歴情報を取得する（Ｓ４１２）。
【００３６】
このような構成の携帯端末装置４１において、例えば、電卓プログラムが起動されると、電卓プログラムは、図１６（ａ）に示す数値表示部１６１を含む基本画面と、図１６（ｂ）に示す操作ガイド部１６２とに分けて処理を行う。スクリーン制御は、操作ガイド部１６２に対して行う。
電卓プログラムは、省電力モードがＯＦＦに設定された状態で起動されたのであると、図１７（ａ）に示すように、表示部４４の全表示領域を使用しての表示となり、省電力モードがＯＮに設定された状態で起動されたのであると、図１７（ｂ）〜（ｄ）に示すように、図１４に示すスクリーン制御情報の規定に従って表示部４４の領域を制限して使用した表示となる。つまり、操作ガイド部１６２が縮小され、輝度を低減されて表示される。
【００３７】
図１８は、電卓プログラムに適用される別のスクリーン制御情報を示す模式図である。この場合、電卓プログラムは、図１９（ａ）に示す操作ガイド部１８１を含む基本画面と、図１９（ｂ）に示す数値表示部１８２とに分けて処理を行う。スクリーン制御は、数値表示部１８２に対して行う。
省電力モードがＯＦＦに設定された状態で起動された場合と、省電力モードがＯＮに設定された状態で起動されていて要因係数１４３が閾値１４４に合致しない場合とには、図２０（ａ）に示す表示状態となる。省電力モードがＯＮに設定された状態で起動されていて要因係数１４３が閾値１４４に合致した場合には、図２０（ｂ）及び（ｃ）に示すように図１８に示すスクリーン制御情報の規定に従って表示部４４の領域を制限して使用した表示状態となる。
【００３８】
図２１は、メールプログラムに適用されるスクリーン制御情報を示す模式図であり、図２２は、図２１に示すスクリーン制御情報の規定に従って表示部４４の領域を制限して使用した表示状態である。図２３は、スクリーン制御情報に対応する動作履歴情報を示す模式図である。スクリーン制御情報は、ソフト識別子２３１毎に管理し、更に、制御スクリーン識別子２３２毎に、要因変数２３３を記録する。
図２２（ａ）は、メールプログラムのメニュー画面である。図２１（ａ）の規定に従って、メニューの文字のない部分の表示がＯＦＦにされる。
図２２（ｂ）は、送信メール作成画面である。図２１（ｂ）の規定及び図２３に記録された動作履歴情報に従って、本文の文字がある行数分の表示をＯＮにし、文字がない部分の表示をＯＦＦとする。
図２２（ｃ）は、件名入力画面である。図２１（ｃ）の規定及び図２３に記録された動作履歴情報に従って、これまでの平均行数分の表示をＯＮとする。今回の入力が平均行数を超えた場合には、今回入力の行数分の表示をＯＮにする。
図２２（ｄ）は、本文入力画面である。図２１（ｄ）の規定及び図２３に記録された動作履歴情報に従って、これまでの平均行数分の表示をＯＮとする。今回の入力が平均行数を超えた場合には、今回入力の行数分の表示をＯＮにする。
【００３９】
図２４（ａ）は、ポインタを利用可能なアプリケーションプログラムに適用されるスクリーン制御情報を示す模式図である。図２４（ｂ）は、省電力モードがＯＦＦに設定された状態でアプリケーションプログラムが起動された場合と、省電力モードがＯＮに設定された状態で起動されていて要因係数１４３が閾値１４４に合致しない場合との表示状態を示し、図２４（ｃ）は、省電力モードがＯＮに設定された状態で起動されていて要因係数１４３が閾値１４４に合致した場合の表示状態を示している。
この例では、ポインタ等の特定形状についてスクリーン制御情報を規定し、表示部４４に表示させる画像中の特定形状と一致する領域に注目し、特定形状と一致する領域の位置が所定時間変化しない場合に、特定形状を表示する部分の画素の輝度を低減させている。
【００４０】
以上のように、省電力モードにおける表示部４４の表示領域制限に、スクリーン制御情報を用いることにより、アプリケーションプログラム自体には手を加えなくても、制限領域の表示をＯＦＦにし制限領域に含まれる画素への給電を停止することにより省電力を行うことができる。また、端末にユーザが追加するアプリケーションプログラムであっても、スクリーン制御情報を合わせて用意しておくことにより、省電力を行うことができる。更に、動作履歴情報を用意し、アプリケーションプログラム動作時に更新していくことにより、ユーザの操作の熟練度に応じた省電力を行うことができる。
【００４１】
なお、本実施形態の表示装置は、バッテリ駆動の携帯端末装置に適用すると有効である。携帯端末装置とは、例えば、携帯電話器、ＰＤＡ、携帯テレビ、ノート型ＰＣ等のバッテリ駆動の装置等が挙げられる。
【図面の簡単な説明】
【００４２】
【図１】本発明の第１実施形態における携帯端末装置の構成を示すブロック図である。
【図２】本発明の第１実施形態における記憶部が記憶する表示領域制限情報を示す模式図である。
【図３】本発明の第１実施形態における省電力処理を示すフローチャートである。
【図４】本発明の第１実施形態における表示状態を示す表示部の正面図である。
【図５】本発明の第２実施形態における携帯端末装置の構成を示すブロック図である。
【図６】本発明の第２実施形態における記憶部が記憶する表示領域制限情報を示す模式図である。
【図７】本発明の第２実施形態における省電力処理を示すフローチャートである。
【図８】本発明の第２実施形態における表示状態を示す表示部の正面図である。
【図９】本発明の第３実施形態における携帯端末装置の構成を示すブロック図である。
【図１０】本発明の第３実施形態における記憶部が記憶する表示領域制限情報を示す模式図である。
【図１１】本発明の第３実施形態における省電力処理を示すフローチャートである。
【図１２】本発明の第３実施形態における表示状態を示す表示部の正面図である。
【図１３】本発明の第４実施形態における携帯端末装置の構成を示すブロック図である。
【図１４】本発明の第４実施形態における記憶部が記憶するスクリーン制御情報を示す模式図である。
【図１５】本発明の第４実施形態における省電力処理を示すフローチャートである。
【図１６】本発明の第４実施形態における表示状態を示す表示部の正面図である。
【図１７】本発明の第４実施形態における表示状態を示す表示部の正面図である。
【図１８】本発明の第４実施形態における記憶部が記憶する別のアプリケーションプログラムのスクリーン制御情報を示す模式図である。
【図１９】本発明の第４実施形態における別のアプリケーションプログラムの表示状態を示す表示部の正面図である。
【図２０】本発明の第４実施形態における別のアプリケーションプログラムの表示状態を示す表示部の正面図である。
【図２１】本発明の第４実施形態における記憶部が記憶する更に別のアプリケーションプログラムのスクリーン制御情報を示す模式図である。
【図２２】本発明の第４実施形態における更に別のアプリケーションプログラムの表示状態を示す表示部の正面図である。
【図２３】本発明の第４実施形態におけるスクリーン制御情報に対応する動作履歴情報を示す模式図である。
【図２４】本発明の第４実施形態における特定形状に関するスクリーン制御情報を示す模式図である。
【符号の説明】
【００４３】
１…携帯端末装置、  ２…記憶部、  ３…制御部、  ４…表示部、  ５…操作部、  ６…送受信部、  １１…数値表示部、  １２…操作ガイド部、  ２１…携帯端末装置、  ２２…記憶部、  ２３…制御部、  ２４…表示部、  ２５…操作部、  ２６…送受信部、  ３１…携帯端末装置、  ３２…記憶部、  ３３…制御部、  ３４…表示部、  ３５…操作部、  ３６…送受信部、  ３７…計時部、  ４１…携帯端末装置、  ４２…記憶部、  ４３…制御部、  ４４…表示部、  ４５…操作部、  ４６…送受信部、  ４７…計時部、  １２１…数値表示部、  １２２…操作ガイド部、  １４１…制御スクリーン識別子、  １４２…エリア情報、  １４３…要因係数、  １４４…閾値、  １４５…変化規則、  １６１…数値表示部、  １６２…操作ガイド部、  １８１…操作ガイド部、  １８２…数値表示部、  ２３１…ソフト識別子、  ２３２…制御スクリーン識別子、  ２３３…要因変数
【図１】
0004563304.tif 000002
【図２】
0004563304.tif 000003
【図３】
0004563304.tif 000004
【図４】
0004563304.tif 000005
【図５】
0004563304.tif 000006
【図６】
0004563304.tif 000007
【図７】
0004563304.tif 000008
【図８】
0004563304.tif 000009
【図９】
0004563304.tif 000010
【図１０】
0004563304.tif 000011
【図１１】
0004563304.tif 000012
【図１２】
0004563304.tif 000013
【図１３】
0004563304.tif 000014
【図１４】
0004563304.tif 000015
【図１５】
0004563304.tif 000016
【図１６】
0004563304.tif 000017
【図１７】
0004563304.tif 000018
【図１８】
0004563304.tif 000019
【図１９】
0004563304.tif 000020
【図２０】
0004563304.tif 000021
【図２１】
0004563304.tif 000022
【図２２】
0004563304.tif 000023
【図２３】
0004563304.tif 000024
【図２４】
0004563304.tif 000025